(57)【要約】  本発明は、上映館での映像コンテンツを再生するシステム及び方法に係り、さらに詳しくは、高解像度の映像コンテンツをデコーディングし、一つの共用記憶装置に保存しておいた後、複数のスレーブ装置により、前記共用記憶装置から映像データを読み込み、必要な部分に対してデータ処理または映像処理をそれぞれ行うようにする映像管理システム及び方法に関する。
2020503760.tif 000002
【特許請求の範囲】
【請求項１】
複数のスレーブ装置を制御するマスタ装置と、
マスタ装置の制御により、共有記憶部から映像データをロードし、前記映像データを処理する複数のスレーブ装置と、
前記複数のスレーブ装置により処理されるべき映像データを保存する共有記憶部と、を含むことを特徴とする映像管理システム。
【請求項２】
前記映像データは、制御データ及び複数個の映像フレームを含むことを特徴とする請求項１に記載の映像管理システム。
【請求項３】
前記複数のスレーブ装置は、レンダリング部を含み、
各スレーブ装置のレンダリング部が、前記共有記憶部から受信した映像データを処理することを特徴とする請求項１に記載の映像管理システム。
【請求項４】
各スレーブ装置が前記共有記憶部から受信した映像データは、同一の映像フレームを含むことを特徴とする請求項１に記載の映像管理システム。
【請求項５】
前記複数のスレーブ装置のうち、特定のスレーブ装置は、デコーディング部をさらに含み、前記特定のスレーブ装置がコンテンツ映像をデコーディングすることを特徴とする請求項１に記載の映像管理システム。
【請求項６】
マスタ装置と複数のスレーブ装置による映像管理方法において、
（ａ）前記マスタ装置または前記複数のスレーブ装置のうち、特定のスレーブ装置がコンテンツ映像をデコーディングし、前記デコーディングされたコンテンツ映像の映像データを共有記憶部に保存するステップと、
（ｂ）前記複数のスレーブ装置が共有記憶部に保存された映像データをロードし、前記ロードされた映像データを処理するステップと、を含むことを特徴とする映像管理方法。
【請求項７】
前記（ｂ）ステップは、共有記憶部に保存された映像データのうち、データ処理に必要な一部の映像データのみをロードすることを特徴とする請求項６に記載の映像管理方法。
【請求項８】
前記映像データは、制御データ及び複数個の映像フレームを含むことを特徴とする請求項６に記載の映像管理方法。
【請求項９】
前記（ａ）ステップは、前記マスタ装置が、前記複数のスレーブ装置のいずれか一つのスレーブ装置を制御して、コンテンツ映像をデコーディングさせることを特徴とする請求項６に記載の映像管理方法。
【請求項１０】
前記（ｂ）ステップは、前記マスタ装置が、前記複数のスレーブ装置を制御して、共有記憶部に保存された映像データのうち、データ処理に必要な一部の映像データのみをロードさせることを特徴とする請求項６に記載の映像管理方法。
【発明の詳細な説明】
【技術分野】
【０００１】
本発明は、上映館での映像コンテンツを再生するシステム及び方法に係り、さらに詳しくは、高解像度の映像コンテンツをデコーディングし、一つの共用記憶部に保存しておいた後、複数のスレーブ装置により、前記共用記憶部から映像データを読み込み、必要な部分に対してデータ処理または映像処理をそれぞれ行うようにする映像管理システム及び方法に関する。
【背景技術】
【０００２】
スクリーン及びその他の投影面を活用して上映サービスを提供する、いわゆる多面上映館でのコンテンツ映像の提供は、従来、以下のように行われてきた。
【０００３】
すなわち、コンテンツ映像の原本を上映館内に設置された投影装置別の補正情報に基づいて分割し、このように分割されたコンテンツ映像をそれぞれ補正レンダリングして、それぞれの投影装置に最適化された映像として生成してきた。このような方式の場合、それぞれの映像が投影装置に最適化された状態で生成されるので、再生の効率性が高くなるという長所があった。
【０００４】
しかしながら、このようなコンテンツ映像方式は、問題点もあるが、例えば、原本映像を投影装置別の補正情報に合わせて再びレンダリングしなければならないので、各上映館別にレンダリングに時間が多くかかるという問題、上映館内の空調または振動などにより、投影装置別の補正情報が変更される場合、全体の原本映像を再びレンダリングしなければならないという問題があった。
【０００５】
一方、このようなコンテンツ映像提供方式の短所を補完するために、最近、原本映像をリアルタイムで補正及びレンダリングする方式が注目を集めている。新たなコンテンツ映像提供方式は、原本映像をリアルタイムで補正及び再生することができるので、コンテンツ映像の配給及び管理の効率性が高いという長所があった。
【０００６】
しかしながら、このような新たな方式も問題点を有するが、原本映像をリアルタイムでデコーディングして補正しなければならない方式の特性のため、高解像度のコンテンツを使うには不向きであるということである。
【発明の概要】
【発明が解決しようとする課題】
【０００７】
本発明は、多面上映館においてコンテンツ映像を提供するとき、原本映像をリアルタイムで補正及び再生可能にする環境を提供することを目的とする。
【０００８】
特に、本発明は、高解像度のコンテンツ映像に対しても、リアルタイムの補正及びレンダリングが可能な環境を提供することを目的とする。
【課題を解決するための手段】
【０００９】
本発明に係る映像管理システムは、複数のスレーブ装置を制御するマスタ装置と、マスタ装置の制御により、共有記憶部から映像データをロードし、前記映像データを処理する複数のスレーブ装置と、前記複数のスレーブ装置により処理されるべき映像データを保存する共有記憶部と、を含むことを特徴とする。
【００１０】
前記映像データは、制御データ及び複数個の映像フレームを含むことを特徴とする。
【００１１】
前記複数のスレーブ装置は、レンダリング部を含み、各スレーブ装置のレンダリング部は、前記共有記憶部から受信した映像データを処理することを特徴とする。
【００１２】
各スレーブ装置のレンダリング部が前記共有記憶部から受信した映像データは、同一の映像フレームを含むことを特徴とする。
【００１３】
前記複数のスレーブ装置のうち、特定のスレーブ装置は、デコーディング部をさらに含むことを特徴とし、前記マスタ装置は、前記特定のスレーブ装置を制御して、コンテンツ映像をデコーディングすることを特徴とする。
【００１４】
ここで、前記マスタ装置が、前記特定のスレーブ装置を制御し、コンテンツ映像をデコーディングするとは、前記マスタ装置は、前記特定のスレーブ装置がコンテンツ映像をデコーディングするように制御するということである。
【００１５】
前記共有記憶部は、前記マスタ装置またはスレーブ装置のいずれか一つの内部に設けられることを特徴とする。
【００１６】
前記共有記憶部は、前記マスタ装置またはスレーブ装置とネットワークで連結されたものであって、独立したサーバ装置であることを特徴とする。
【００１７】
一方、本発明に係る映像管理方法は、マスタ装置と複数のスレーブ装置による映像管理方法において、（ａ）前記マスタ装置または前記複数のスレーブ装置のうち、特定のスレーブ装置がコンテンツ映像をデコーディングし、前記デコーディングされたコンテンツ映像の映像データを共有記憶部に保存するステップと、（ｂ）前記複数のスレーブ装置が共有記憶部に保存された映像データをロードし、前記ロードされた映像データを処理するステップと、を含む。
【００１８】
前記（ｂ）ステップは、共有記憶部に保存された映像データのうち、データ処理に必要な一部の映像データのみをロードすることを特徴とする。
【００１９】
前記映像データは、制御データ及び複数個の映像フレームを含むことを特徴とする。
【００２０】
前記（ａ）ステップは、前記マスタ装置が、前記複数のスレーブ装置のいずれか一つのスレーブ装置を制御して、コンテンツ映像をデコーディングさせることを特徴とする。
【００２１】
前記（ｂ）ステップは、前記マスタ装置が、前記複数のスレーブ装置を制御して、共有記憶部に保存された映像データのうち、データ処理に必要な一部の映像データのみをロードさせることを特徴とする。
【発明の効果】
【００２２】
本発明によれば、上映館の構造変更、上映による投影装置の位置変動などが発生しても、投影面に投影されるべきコンテンツ映像をリアルタイムで補正することができるという効果がある。
【００２３】
特に、本発明によれば、４Ｋ以上の高解像度のコンテンツ映像に対しても、高速のデータ処理ができるので、高解像度コンテンツのリアルタイムの補正及びレンダリングが容易になるという効果がある。
【００２４】
また、本発明によれば、従来に比べて、コンテンツ映像に対するデコーディングの回数が減るので、リソースを節減することができ、さらには、コンテンツ映像のデコーディングのための装備及びソフトウェアで行う演算を最小化することができ、費用節減も図ることができるという効果がある。
【図面の簡単な説明】
【００２５】
【図１】図１は、従来の映像管理システムの構成を示す図である。
【図２】図２は、本発明に係る映像管理システムの概略的な構成を示す図である。
【図３】図３は、本発明の一実施形態に係る映像管理方法を順次に示す図である。
【図４】図４は、本発明の他の実施形態に係る映像管理システムを概略的に示す図である。
【図５】図５は、本発明の一実施形態により、映像フレームのうち、必要な領域のみをロードしてデータ処理を行う様子を示す図である。
【図６】図６は、映像フレーム内の分割された領域が、それぞれのスレーブ装置により処理される様子を示す図である。
【符号の説明】
【００２６】
１０、１００  マスタ装置
３０、３００  スレーブ装置
３１、３１０  レンダリング部
３３、３３０  デコーディング部
５０  記憶部
５３  映像フレーム
５００  共有記憶部
５１０  制御データ
５３０  映像フレーム
５５０  映像フレームの一部領域
７００  デコーディング装置
【発明を実施するための形態】
【００２７】
本発明の目的と技術的構成およびそれに伴う作用効果に関する詳細な事項は、本発明の明細書に添付した図面に基づく以下の詳細な説明によりなお一層明確に理解できる筈である。添付図面を参照して本発明に係る実施形態について詳細に説明する。
【００２８】
図面に表示され、且つ、下記に説明される機能ブロックは、採用可能な実現の例に過ぎない。他の実現においては、詳細な説明の思想および範囲を逸脱しない範囲内において他の機能ブロックが使用可能である。なお、本発明の１以上の機能ブロックが個別のブロックとして表示されるが、本発明の機能ブロックのうちの１以上は、同じ機能を実行する様々なハードウェア及びソフトウェア構成の組み合わせであってもよい。
【００２９】
また、「ある構成要素を含む」という表現は「開放型」の表現であり、単に当該構成要素が存在することを指すものに過ぎず、さらなる構成要素を排除するものと理解されてはならない。
【００３０】
さらに、ある構成要素が他の構成要素に「連結されている」と言及されるとき、またはある構成要素が他の構成要素に「接続されている」と言及されるときには、その他の構成要素に直接的に連結または接続されていてもよく、これらの間に他の構成要素が存在してもよいものと理解されるべきである。
【００３１】
また、後述する映像管理システムは、様々なハードウェア及びソフトウェアの連動動作により実現できると理解すべきであろう。例えば、本発明は、複数の投影装置及び前記複数の投影装置と有線または無線にて連結される投影管理装置（サーバ）の連動動作により実現でき、このような連動のほかに、様々なハードウェア及びソフトウェアの連動動作により実現できる。
【００３２】
図１は、従来の方式による映像管理システムの様子を概略的に示す図である。
【００３３】
図１によれば、従来の映像管理システムは、マスタ装置１０、複数のスレーブ装置３０、及びそれぞれのスレーブ装置と連結された複数の記憶部５０を含む。マスタ装置１０は、複数のスレーブ装置３０を制御し、それぞれのスレーブ装置３０は、レンダリング部３１とデコーディング部３３を含み、映像データを処理する機能を行い、それぞれの記憶部５０には、映像データが保存されている。
【００３４】
従来の方式による映像管理方法によれば、一つのスレーブ装置は、一つの投影装置と連結される。すなわち、一つのスレーブ装置は、一つの投影装置が投影すべき映像を再生するために映像デコーディングを行う。
【００３５】
つまり、同一の映像を投影する投影装置のそれぞれに連結されたスレーブ装置は、同一の映像をデコーディングすることにより、演算が増え、高解像度の映像を再生し難くなる。
【００３６】
後述する本発明による一つのスレーブ装置は、一つ以上の投影装置が投影すべき映像を再生するために、コンテンツ映像の全体をデコーディングして記憶部に保存する。例えば、一つのスレーブ装置は、３台の投影装置と連結される。さらに詳しくは、スレーブ１〜２は、左側壁面に設置された投影装置と連結され、右側壁面に投影される映像を再生し、スレーブ３〜４は、右側壁面に設置された投影装置と連結され、左側壁面に投影される映像を再生する。このとき、スレーブ１〜２は、右側壁面に投影すべき映像データが保存されたいずれか一つの共有記憶部を共有する。スレーブ３〜４は、左側壁面に投影すべき映像データが保存された他の一つの共有記憶部を共有する。
【００３７】
すなわち、同じ映像を再生する投影装置と連結されたスレーブ装置は、共有記憶部を共有する。ここで、同じ映像は、物理的に同じ映像である。または、同じ映像は、一つの映像が領域別に分割された場合、分割された映像である。
【００３８】
つまり、本発明は、スレーブが一つ以上の投影装置と連結され得るので、投影装置の個数だけ映像をデコーディングする必要がなく、演算が減るようになる。
【００３９】
図１をみると、それぞれのスレーブ装置３０は、全てデコーディング部３３を含むが、これは、従来方式によれば、各スレーブ装置３０が個別にコンテンツ映像をデコーディングしなければならず、必須構成として含まれるべきだったからである。
【００４０】
また、従来の映像管理システムは、それぞれのスレーブ装置３０に記憶部５０が連結されているが、これも、従来、各スレーブ装置３０によりデコーディングされたコンテンツ映像、すなわち、映像データをそれぞれ保存されるべきスペースが必要であり、必須構成として含まれるべきであったからである。
【００４１】
このように、従来の映像管理システムは、複数の投影装置による投影環境を実現しようとするとき、それぞれのスレーブ装置３０が個別にデコーディングを行うということ、実質的に同一の映像データを別に記憶部５０に保存するということにおいて、効率的ではないという問題があった。さらには、高解像度のコンテンツ映像が益々増えている中で、従来の映像管理システムは、高解像度の映像データを処理するには、処理時間が多くかかり、リソースの消耗も多く、商用化し難いという問題もあった。
【００４２】
図２は、本発明に係る映像管理システムの概略的な構成を示す図である。
【００４３】
図２によれば、本発明に係る映像管理システムは、マスタ装置１００、複数のスレーブ装置３００、及び共有記憶部５００を含む。図１と比べると、本発明に係る映像管理システムは、複数個の記憶部の代わりに、一つの共有記憶部５００を備えることが異なり、後述するように、スレーブ装置３００の細部構成も異なる。以下、それぞれの構成について説明する。
【００４４】
先ず、マスタ装置１００とは、上映館内に備えられるサーバ装置であって、前記マスタ装置１００は、外部から入力されるコンテンツ映像または広告映像を受信し、これを、個別の投影装置により投影されるように複数のスレーブ装置３００を制御する機能を行う。また、マスタ装置１００は、各スレーブ装置３００の作動状態、投影装置の作動状態をモニタリングすることもである。
【００４５】
一方、このとき、本発明で言及される上映館とは、一般に、映画コンテンツが上映される空間であって、複数の投影面を含むことを前提とし、このとき、複数の投影面には、一つ以上のスクリーン、壁面が含まれ得る。また、本発明における上映館は、複数の投影装置により、複数の投影面に同期化したコンテンツ映像を投影し、観客に没入感を与えることができる、いわゆる多面上映館であることを前提とする。
【００４６】
スレーブ装置３００とは、前記マスタ装置１００の制御により駆動されるものであり、スレーブ装置３００は、それぞれ一つ以上の投影装置と連携し、当該投影装置により投影されるべきコンテンツ映像の映像データを処理する。例えば、第１投影装置が上映館の前面のメインスクリーンに対応し、第２投影装置及び第３投影装置がそれぞれ上映館の左右壁面の投影面に対応する場合、三つのスレーブ装置３００が存在し、それぞれ第１投影装置乃至第３投影装置により投影されるべきコンテンツ映像の映像データを処理するようになる。他の例として、第１投影装置及び第２投影装置が上映館の前面のメインスクリーンに対応し、第３投影装置及び第４投影装置は、上映館の左壁面の投影面に対応し、第５投影装置及び第６投影装置は、上映館の右壁面の投影面に対応され得る。第１投影装置及び第２投影装置と連携された第１スレーブ装置、第３投影装置及び第４投影装置と連携された第２スレーブ装置、第５投影装置及び第６投影装置と連携された第３スレーブ装置が存在し、それぞれ第１投影装置乃至第６投影装置により投影されるべきコンテンツ映像の映像データを処理する。
【００４７】
いずれか一つのスレーブ装置３００に連携された複数の投影装置のそれぞれが、一つの投影面に対して一つの映像を分割して投影する場合、上述したいずれか一つのスレーブ装置３００は、投影装置別に投影する分割された映像情報を共有記憶部５００から読み込むことができる。
【００４８】
上述した実施形態では、スレーブ装置３００別に異なる投影面に対応されているが、これに限定されず、複数のスレーブ装置３００が同一の投影面に対応されてもよい。例えば、いずれか一つのスレーブ装置３００と連携された一つ以上の投影装置は、第１投影面の左側面に対応され、他の一つのスレーブ装置３００と連携された一つ以上の投影装置は、第１投影面の右側面に対応されてもよい。
【００４９】
スレーブ装置３００は、上映館内の任意の空間に設置されてもよく、例えば、投影装置が設置された場所に一緒に設置され、または前記マスタ装置１００が設置される空間にスレーブ装置３００が一緒に設置されてもよい。
【００５０】
スレーブ装置３００は、細部構成として、レンダリング部３１０とデコーディング部３３０を含んでもよい。
【００５１】
レンダリング部３１０は、映像データを読み込んだ後、広義の映像データの処理を行う機能部をいうものであって、このとき、映像データ処理の種類には、投影位置の調整、映像の明るさ・色感の調整、テクスチャマッピングなどが含まれる。レンダリング部３１０は、映像データの処理によって２次元の最終映像を生成し、このとき、最終映像は、以降、当該スレーブ装置３００と連結された投影装置により投影される。
【００５２】
デコーディング部３３０は、コンテンツ原本映像をデコーディングする機能部であって、前記原本映像をスレーブ装置３００がデータ処理を行うように変換する役割を果たす。前記デコーディング部３３０は、内部的にデコーディングに必要なバッファリング部を含む。一方、デコーディング部３３０により変換された原本映像は、「映像データ」の形態として、後述する共有記憶部５００に保存される。
【００５３】
上映館に存在するいずれか一つのスレーブ装置３００が含むデコーディング部３３０が原本映像をデコーディングする前に、マスタ装置１００は、暗号化（ｅｎｃｒｙｐｔ）された映像を解読（ｄｅｃｒｙｐｔ）することができる。マスタ装置１００は、解読した映像を共有記憶部５００に保存する。いずれか一つのスレーブ装置３００が投影装置により再生する映像と同一の映像を再生する他のスレーブ装置は、暗号化された映像を解読することなく、共有記憶部５００に保存された解読された映像を読み込むことができる。
【００５４】
上映館に存在するいずれか一つのスレーブ装置３００が含むデコーディング部３３０が、原本映像をデコーディングする前に、スレーブ装置３００は、暗号化された映像を解読することができる。上述したいずれか一つのスレーブ装置３００は、解読した映像を共有記憶部５００に保存する。上述したいずれか一つのスレーブ装置３００が投影装置により再生する映像と同一の映像を再生する他のスレーブ装置は、暗号化された映像を解読することなく、共有記憶部５００に保存された解読された映像を読み込むことができる。
【００５５】
他方、デコーディング部３３０と関連した特異事項として、上述では、上映館内の複数のスレーブ装置３００が設けられてもよいと説明しているが、本発明に係る映像管理システムの場合、いずれか一つのスレーブ装置３００のみがデコーディング部３３０を有し、残りのスレーブ装置３００は、デコーディング部３３０を有さなくてもよい。すなわち、本発明に係る映像管理システムは、後述するように、共有記憶部５００に映像データを保存しておいたまま、共有可能に実現されるので、それぞれのスレーブ装置３００が個別にコンテンツ映像をデコーディングする必要がない。したがって、本発明に係る映像管理システムは、複数のスレーブ装置３００のいずれか一つのスレーブ装置３００にのみデコーディング部３３０を設けることにより、一つのコンテンツ映像に対しては、１回のデコーディングのみが行われるようにすることができる。
【００５６】
一方、上記した実施形態では、デコーディング部３３０がスレーブ装置３００に設けられたものについて説明しているが、前記デコーディング部３３０は、マスタ装置１００に実現されてもよいことが理解されるべきである。すなわち、本発明に係るマスタ装置１００は、内部的に動画のデコーディングが可能なハードウェア及びソフトウェアを有するデコーディング部３３０を含んでもよく、外部から受信したコンテンツの原本映像をデータ処理が可能な形態に変換して共有記憶部５００に保存してもよい。
【００５７】
また他方、前記デコーディング部３３０は、マスタ装置１００またはスレーブ装置３００ではなく、別途の独立したサーバ装置でも実現され得る。すなわち、デコーディング部３３０は、別個のサーバ装置で実現され、ネットワークで連結されたマスタ装置１００からコンテンツ映像の原本を受けて、データ処理が可能な形態に変換して共有記憶部５００に保存してもよい。
【００５８】
共有記憶部５００とは、前記スレーブ装置３００が必要とするデータ、スレーブ装置３００が演算処理をして得られた結果物などを保存する機能を果たすものであって、特に、本発明に係る共有記憶部５００は、複数のスレーブ装置３００によりアクセスが可能であることを特徴とする。
【００５９】
すなわち、この共有記憶部５００は、コンテンツ映像がデコーディングされた後の映像データが保存されるスペースとして、複数のスレーブ装置３００が、前記映像データを共有することにより、従来に比べて、リソースの節減、データ処理時間の節減が可能であることが核心構成である。
【００６０】
また、共有記憶部５００は、デコーディングの前、解読された映像データが保存されるスペースである。
【００６１】
一方、共有記憶部５００に保存される映像データは、さらに制御データ５１０及び映像フレーム５３０に分けられる。制御データ５１０とは、現在、共有記憶部５００に保存された映像データを制御するのに必要な情報を含んでいるものであって、例えば、各映像フレーム５３０の識別番号、映像フレーム５３０が保存されたアドレス、映像フレーム５３０のサイズ、タイムスタンプなど、各スレーブ装置３００が映像データを処理するのに活用できる情報を保存する。映像フレーム５３０とは、前記原本のコンテンツ映像がフレーム別に分割された状態の個別データを意味する。
【００６２】
一方、この共有記憶部５００は、上映館内の任意の空間に独立した装置として設置され、前記スレーブ装置３００とは無線または有線のネットワークを用いてデータを送受信することができる。
【００６３】
また、前記共有記憶部５００は、マスタ装置１００またはスレーブ装置３００とハウジングを共有したまま、前記装置の内部に設けられてもよい。例えば、前記共有記憶部５００は、マスタ装置１００またはスレーブ装置３００内のハードディスクの形態、フラッシュメモリの形態で設けられてもよい。
【００６４】
これとは異なり、前記共有記憶部５００は、上映館の外部に存在するものであって、例えば、クラウドサーバの形態で実現されてもよい。
【００６５】
上述のように、共有記憶部５００は、具備位置に制限されず、前記スレーブ装置３００とネットワークで連結され、内部に保存された映像データを共有可能にすることを主な特徴とする。
【００６６】
以上、図２を参照して、本発明に係る映像管理システムの主要構成について説明した。
【００６７】
以下では、図３を参照して映像管理方法について説明する。
【００６８】
図３によれば、本発明に係る映像管理方法は、大別して、i）コンテンツ映像をデコーディングし、映像データを共有記憶部５００に保存するデコーディングステップ（Ｓ３１０）、ii）共有記憶部５００から映像データを読み込んだ後、処理する映像データ処理ステップ（Ｓ３２０）を含む。一方、映像データ処理ステップ以降は、新たにレンダリングされた映像、すなわち、補正された映像を各スレーブ装置３００とマッチングされた投影装置を介して投影するステップ（Ｓ３３０）につながってもよい。
【００６９】
図３では省略しているが、本発明に係る映像管理方法は、デコーディングステップ（Ｓ３１０）以前に暗号化解読ステップをさらに含んでもよい。
【００７０】
本発明は、デコーディングステップ及び映像データ処理ステップを扱っているので、投影ステップについては詳細な説明を省略する。
【００７１】
先ず、暗号化解読ステップについて説明する。暗号化されている映像データをデコーディングする前、解読する過程であって、暗号化の際に用いられたアルゴリズム方式を用いて解読する過程を経る。暗号化解読過程を経た映像データは、共有記憶部５００に保存され、この映像データは、下記デコーディングステップで用いられる。
【００７２】
先ず、デコーディングステップについて説明する。
【００７３】
デコーディングステップは、上述のように、コンテンツ映像の原本をデータ処理が可能なように変換するステップであって、デコーディングが行われた後、映像データは共有記憶部５００に保存する。
【００７４】
コンテンツ映像のデコーディングを行う主体は、好ましくはスレーブ装置３００である。デコーディングステップの特異事項として、このデコーディングステップは、複数のスレーブ装置３００のうち、特定のスレーブ装置３００の一つにより行われ、このとき、前記特定のスレーブ装置３００は、デコーディング部３３０を含むことを特徴とする。
【００７５】
すなわち、従来の映像管理システムでは、スレーブ装置３００が全て個別にデコーディングを行ったものとは異なり、この映像管理システムでは、デコーディングが一つのスレーブ装置３００でのみ行われることにより、リソースを節減可能にした。
【００７６】
具体的に、本発明に係る前記スレーブ装置３００は、マスタ装置１００の制御により、原本のコンテンツ映像をデコーディングし、デコーディングされてからのコンテンツ映像、すなわち、映像データは、共有記憶部５００に保存する。
【００７７】
一方、このデコーディングステップは、マスタ装置１００が主体となって行ってもよい。すなわち、マスタ装置１００は、特定のスレーブ装置３００を制御してデコーディングせず、当該マスタ装置１００が直接コンテンツ映像の原本をデコーディングして共有記憶部５００に保存する。この場合、前記マスタ装置１００は、映像をデコーディングするためのハードウェア及びソフトウェアを有することを前提とする。また、この場合、全体の映像管理システムは、図４の（ａ）に示すように、マスタ装置１００と共有記憶部５００が連結された状態で実現され、スレーブ装置３００は、別途のデコーディング部３３０を有することなく、レンダリング部３１０のみを有するようになる。
【００７８】
他方、このデコーディングステップは、独立したデコーディング装置７００が主体となって行ってもよい。すなわち、デコーディング装置７００は、別途のサーバ装置として映像管理システムに含まれてもよく、前記デコーディング装置７００は、図４の（ｂ）に示すように、マスタ装置１００及び共有記憶部５００と連結された状態で存在してもよい。この場合、前記デコーディング装置７００は、マスタ装置１００からコンテンツ映像の原本を受信し、この原本をデコーディングした後、共有記憶部５００に保存する。
【００７９】
次に、映像データ処理ステップについて説明する。
【００８０】
映像データ処理ステップは、スレーブ装置３００により行われ、各スレーブ装置３００は、共有記憶部５００に保存された映像データを読み込んでから、当該映像データを処理する。このとき、映像データを処理するとは、当該映像データのパラメータを調整して映像の幅、高さ、明るさ、色感など、映像そのものを補正することを含み、さらには、当該映像が投影装置により投影されるべき投影領域の位置を補正することも含む。
【００８１】
それぞれのスレーブ装置３００は、上映館内の投影装置とマッチングされてもよく、スレーブ装置３００には、投影装置の投影領域についての情報が保存されてもよいが、この映像データ処理ステップでは、前記スレーブ装置３００が保存された投影領域関連情報を活用して、前記映像データを処理する。このとき、投影領域関連情報には、例えば、投影領域の投影面上における位置、投影装置と投影面との間の距離、投影装置が投影する投影領域の幅及び高さ、投影面の材質、色、反射度、明るさ、投影面上の設置物、及びこれによる投影障害領域のような情報が含まれる。
【００８２】
映像データ処理ステップの一実施形態として、任意のスレーブ装置３００が「壁面」に投影する投影装置とマッチングされた場合、前記スレーブ装置３００は、共有記憶部５００から映像データを読み込んでから、前記壁面に投影されるべき映像の明るさ、色感を調整することができ、また前記壁面に設置されたスピーカや柱により発生した投影障害領域を参照して対応する映像部分の色や模様を変更してもよい。
【００８３】
前記投影障害領域は、スピーカや柱に限定されず、上映館の正面スクリーンと側壁の境界部分である「傾斜面」も含む。傾斜面は、傾斜した平面、斜面を意味する。
【００８４】
また、映像データ処理ステップの他の実施形態として、前記スレーブ装置３００は、共有記憶部５００から映像データを読み込んでから、エッジブレンディング領域の明度、色相などを変更してもよい。複数の投影装置が投影する映像は、隣接した映像と互いに一定範囲を重ね合わせ、互いに重ね合わせる領域であるエッジブレンディング領域が生成する。各投影装置は、エッジブレンディング領域に投影される映像の明度を減少させる。各投影装置は、エッジブレンディング領域に投影される映像の明度を減少させることにより、エッジブレンディング領域の明度は、映像を重ね合わせない領域の明度に等しくなり得る。
【００８５】
一方、映像データ処理ステップは、複数のスレーブ装置３００により同時に進行されるが、各スレーブ装置３００とマッチングされた投影装置は、複数の投影面に同期化した映像を投影するので、各スレーブ装置３００も、共有記憶部５００から同一の映像フレーム５３０の映像データを読み込むようになる。すなわち、各スレーブ装置３００は、同一の映像フレーム５３０の映像データを読み込むが、各スレーブ装置３００とマッチングされた投影装置の駆動態様を考慮して、個別に映像データの処理を進行する。
【００８６】
一方、この映像データ処理ステップにおいて、前記スレーブ装置３００は、共有記憶部５００から映像フレーム５３０の一部領域５５０のみを読み込んでから、データ処理を行ってもよい。図５は、このような実施形態を示す図であるが、例えば、ある特定の投影装置が壁面の一部領域にのみ映像を投影する場合、前記投影装置にマッチングされるスレーブ装置３００は、共有記憶部５００内の映像フレーム５３０を読み込むが、図５のように、イメージのうち、実際に投影されるべき領域５５０のみを特定して読み込んでもよい。スレーブ装置３００が、複数の投影装置と連結されている場合、スレーブ装置３００は、前記複数の投影装置により映像が投影される領域のみを特定して、共有記憶部５００から読み込む。
【００８７】
このように画像フレーム５３０の一部領域のみを読み込んでから、データ処理が可能である場合、複数のスレーブ装置３００は、必ずしも映像データを処理するのに全ての映像フレーム５３０を読み込む必要はなく、図６のように、部分的にデータ処理を行うだけでよいので、結果的には、全体の映像データを分けて複数個のスレーブ装置３００で処理する効果を図ることができる。
【００８８】
以上、本発明について説明したが、本発明が属する技術分野における通常の知識を有する者であれば、本発明の技術的思想および必須的特徴を保ったままで他の形態によっても実施可能であることを認知できる筈である。
【００８９】
したがって、上述した実施形態は、単に例示に過ぎず、本発明の範囲を上記した実施形態に制限しようとするものではない。また、図示された流れ図は、本発明を実施するに当たって、最も好適な結果を得るために、例示的に示した順序に過ぎず、他のステップがさらに追加または一部のステップが削除され得ることは言うまでもない。
【００９０】
本発明の範囲は、特許請求の範囲により定められるべきであるが、特許請求の範囲の記載事項から直接的に導き出される構成はもとより、それと等価である構成から導き出されるあらゆる変更または変形された形態もまた本発明の権利範囲に含まれるものと解釈されるべきである。
【図１】
2020503760.tif 000003
【図２】
2020503760.tif 000004
【図３】
2020503760.tif 000005
【図４】
2020503760.tif 000006
【図５】
2020503760.tif 000007
【図６】
2020503760.tif 000008
【国際調査報告】
2020503760.tif 000009
2020503760.tif 000010